(57)【特許請求の範囲】
【請求項１】
クラウン部（２）とブリム部（３）とを有する帽子（１）において、ブリム部（３）の上面に眼鏡落下防止部（５）を設けるとともに、前記ブリム部（３）に通気孔（４）を設けてなり、
前記ブリム部（３）が、芯部材（３ａ）と、前記芯部材（３ａ）の上面に配置される表地（３ｂ）と、前記芯部材の下面に配置される裏地（３ｃ）とからなり、前記通気孔（４）が前記芯部材（３ａ）に設けられ、前記表地（３ｂ）と裏地（３ｃ）の両方又はいずれか一方には、前記通気孔（４）に当接する箇所に前記通気孔と略同型の孔（４ｂ、４ｃ）が形成され、
さらに前記通気孔（４）を覆うように通気性の高い素材（８）が配置されてなることを特徴とする帽子。
【請求項２】
前記眼鏡落下防止部（５）が合成樹脂製のシートからなることを特徴とする請求項１に記載の帽子。
【発明の詳細な説明】
【技術分野】
【０００１】
本発明は、帽子に関する。特に帽子の庇部の上面に載置した眼鏡やサングラスの脱落防止と通気機能を備えた帽子に関する。
【背景技術】
【０００２】
従来より、ゴルフ、テニス、野球等のスポーツの競技者は、頭部を保護するために帽子を着用するとともに強い日射しや紫外線から目を保護するためサングラスを使用している。
そして、これらのスポーツの競技中において、競技者はプレーや環境の状況に応じて頻繁にサングラスの掛け外しを行う。
この場合、外したサングラスは、競技の妨げとなるため、上着やズボンのポケットなどに収納する必要があるが、ポケットへの収納はサングラスの変形や落下の恐れがある。そのため、その他の一時保存場所として帽子の庇部に載置することがある。しかし、ゴルフやマラソンなど動きの激しいスポーツにおいては、単に帽子の庇部の上面にサングラスを載置して、該サングラスの蔓部を帽子の左右の側面で頭部を挟んで掛けただけでは、プレーの最中や移動中にサングラスが落下してレンズに傷がついたり、壊れてしまうことがある。
このような問題に対して、帽子の前中央部に眼鏡の中央部が係止できるようテープを設け、さらに眼鏡の左右の蔓部が挿入できる穴を帽子の左右に設けた帽子が提案されている（特許文献１）。
また、キャップ帽の鍔の近傍で帽子本体の両側面に、合成皮革等により二つ折りに形成されたサングラスホルダーを各々止着する帽子等が提案されている。
具体的には、サングラスホルダー内側面に、パイル面とフック面とからなる一対の面ファスナーを各々固着し、サングラスホルダーにて眼鏡型サングラスの蔓部分を挟持した状態で面ファスナーを貼着して係止保持する（特許文献２）。
しかし、上記特許文献１の発明は、外した眼鏡を帽子の庇部に載置し保持するためには眼鏡の左右の蔓部を帽子に設けた穴に挿入した後、眼鏡の中央部をテープで止めることが必要であり、逆に帽子から眼鏡を外すためには眼鏡の中央部を止めているテープをはずし帽子に設けた穴に挿入した眼鏡の蔓部を引き抜くことが必要である。
また、上記特許文献２の発明は、外した眼鏡を帽子の庇部に載置し保持するためには帽子本体の両側面に形成されたパイル面とフック面とからなる一対の面ファスナーからなるサングラスホルダーで眼鏡型サングラスの蔓部分を挟持することが必要である。
このため、上記いずれの発明においても帽子を被ったままで外した眼鏡を帽子の庇部に載置し保持するのは非常に難しく、実際にはいちいち頭部から帽子を取る必要があり、競技中には煩わしく、実用性に欠けている。
また、多くの部材を用いているため製造コストの面からも問題があった。
【０００３】
一方、帽子は、若干下向きに庇部が形成されており、着用した場合、前方から流れてくる空気を庇部が上方向に逃してしまう。そのため、庇部の下側奥の額部付近では空気の流通が少なく、額部からの放熱が十分できず、使用者は不快を感じることが多い。
このような問題に対して、庇部の内部または裏面部に空洞部を形成し、前記空洞部に形成された吸気開口部から前記空洞部に取り入れられた外気が、前記空洞部の前記庇の付け根側に形成された排気開口部からクラウン下縁部よりも下側に排出された後、帽子着用者の額部のクラウンに覆われていない部分に当たるように構成される帽子の庇が提案されている（特許文献３）。
しかし、上記特許文献３の発明は、具体的には、空洞部の形状を保持するために、前記空洞部に前記空洞部の上下面を支える空洞保持具を設ける必要があり、前記空洞部を形成するために、前記庇に固着していない空洞構築具を設けることが必要であり、構造が複雑で製造コストの面から問題があった。
また、帽子は長時間被るため、なるべく軽量化が求められていることから、嵩が増す構造の帽子は問題があった。
【先行技術文献】
【特許文献】
【０００４】
【特許文献１】特開平９−２２８１３３号公報
【特許文献２】特開平１１−２２２７０８号公報
【特許文献３】特許５５８４９５０号公報
【発明の概要】
【発明が解決しようとする課題】
【０００５】
本発明は、上記問題を考慮して、眼鏡やサングラスの脱落防止と通気機能を備えた帽子を得ることを目的とする。
【課題を解決するための手段】
【０００６】
本発明者らは上記課題を下記の手段により解決した。
（１）クラウン部とブリム部とを有する帽子において、ブリム部の上面に眼鏡落下防止部を設けるとともに、前記ブリム部に通気孔を設けてなり、
前記ブリム部が、芯部材と、前記芯部材の上面に配置される表地と、前記芯部材の下面に配置される裏地とからなり、前記通気孔が前記芯部材に設けられ、前記表地と裏地の両方又はいずれか一方には、前記通気孔に当接する箇所に前記通気孔と略同型の孔が形成され、
さらに前記通気孔を覆うように通気性の高い素材が配置されてなることを特徴とする帽子。
（２）前記眼鏡落下防止部が合成樹脂製のシートからなることを特徴とする前記（１）に記載の帽子。
【発明の効果】
【０００７】
本発明の帽子によれば下記の効果が発揮される。
前記（１）〜（２）記載の本発明の帽子によれば、眼鏡の蔓部を帽子の左右の側面で頭部を挟むように掛けるとともに、単に帽子のブリム部の上面に設けた眼鏡落下防止部に眼鏡を載置するだけで眼鏡の落下を防止することができ、さらに帽子を着用したときに、前方から流れてくる空気が、前記ブリム部に設けた通気孔を通り上方に抜けていくので通気性を向上することができる。
さらに、通気孔を設けているため庇を軽くすることができ帽子の軽量化が図れる。
【図面の簡単な説明】
【０００８】
【図１】本発明の帽子の第１実施例の斜視図である。
【図２】本発明の帽子の側面図である。
【図３】本発明の帽子に眼鏡を載置した状態を示す図である。
【図４】本発明の帽子の第２実施例の斜視図である。
【図５】本発明の帽子の第３実施例の斜視図である。
【図６】本発明の帽子の第４実施例の斜視図である。
【図７】本発明の帽子の第５実施例の斜視図である。
【実施例１】
【０００９】
本発明の実施の態様を図に基づいて説明する。
図１は、本発明の第１実施例の斜視図、図２は、本発明の帽子の側面図、図３は本発明の帽子に眼鏡を載置した状態を示す図である。
同図において１は帽子、２はクラウン部、３はブリム部、３ａは芯部材、３ｂは表地、３ｃは裏地、４は通気孔、５は眼鏡落下防止部、６は調整用バンド、７は眼鏡、７ａ、７ｂは蔓部、７ｃ、７ｄはレンズ部の底部である。
本発明にかかる帽子１におけるクラウン部２は、人が帽子１を被った状態において人の頭部を被覆する部分であり、通常用いる帽子の素材、例えば綿などの繊維からなる布や樹脂製その他の適切な素材を用いることができる。
なお、眼鏡の蔓部でクラウン部の左右を挟むので、摩擦抵抗の大きい素材でクラウン部を構成すると、眼鏡の蔓部の滑り止めの効果を発揮することができる。
さらに網状の布地２ａなど通気性の高い素材で構成することも好適である。
【００１０】
本発明にかかる帽子１のブリム部３は、眼鏡７を載置することができる程度の剛性を有する材料で構成されることが望ましく、例えばポリエチレン（ＰＥ）、ＥＶＡ（エチレン・酢酸ビニル共重合樹脂）等の合成樹脂、ゴム、厚紙等その他の素材を用いることができる。
前記剛性を有するブリム部３の上面に眼鏡７を載置することによって眼鏡７をブリム部３に安定的に載置することができる。
なお、本実施例においては、ブリム部３は、ポリエチレン（ＰＥ）からなる芯部材３ａと該芯部材３ａの表裏面を覆う布からなる表地３ｂ、裏地３ｃから構成されている。
また、前記芯部材３ａの表裏面を覆う表地３ｂ、裏地３ｃは、繊維からなる布その他樹脂など帽子に適切な素材を用いることができる。
さらに、前記該芯部材３ａには、通気性の確保と軽量化を目的とした通気孔４が穿設されている。該通気孔４は通気を促す孔であればその形状は限定されないが、デザイン性を兼ねた形状とすることも好適である。
なお、通気孔４の面積は、軽量化の面からは、より大きい方が好ましいが、ブリム部３の強度を考慮すると、該ブリム部３の面積に対する通気孔４の面積の比率が最大で１／２程度であることが望ましい。
なお、前記芯部材３ａの表裏面を覆う表地３ｂ、裏地３ｃは、前記通気孔４が汚れたり、裂けるのを防止する効果を有する。
【００１１】
そして、本発明の帽子１における眼鏡落下防止部５は、眼鏡７のレンズ部の底部７ｃ、７ｄの滑りを抑止することができるようにブリム部３の上面に設けられている。
本実施例においては、眼鏡落下防止部５はシリコン樹脂製のシートで構成されているが、眼鏡７のレンズ部の底部７ｃ、７ｄの滑りを抑止できる素材であればシリコン樹脂製に限定されない。本発明にかかる眼鏡落下防止部５は、合成樹脂製が好ましく、例えば、エラストマー、シリコーンハイドロゲルなど滑りにくい素材が好適である。
なお、本発明において、眼鏡７の安定性の観点から、眼鏡７左右の蔓部７ａ、７ｂは、クラウン部２の左右の側面を挟むように配置されることが好ましいことから、ブリム部３に対する眼鏡落下防止部５は、眼鏡７の左右の蔓部７ａ、７ｂでクラウン部２の左右の側面を挟んだ状態において眼鏡７のレンズ部の底部７ｃ、７ｄが接触する位置に配置される。
また、眼鏡落下防止部５は、眼鏡７のレンズ部の両底部７ｃ、７ｄが確実に載置できる形状で構成され、その大きさは、ブリム部３に眼鏡７を載置した時に眼鏡の安定性を図るためには大きい方が好ましいが、通気性の確保及び製造コストを考慮し、幅が１５mm〜２０mm、長さがブリム部３の横幅の２／３程度であることが好ましい。
なお、調整用バンド６は、ゴムなどの伸縮性を有する材料で構成されるが、クラウン部２の素材によっては不要であり、任意に形成される。
【００１２】
図３の本発明の帽子に眼鏡を載置した状態を示す図に基づいて、詳細な使用状態を説明する。
同図に示すように、本発明の帽子１は、眼鏡７の左右２つの蔓部７ａ、７ｂでクラウン部２の左右の側面が挟まれる。そして前記眼鏡７は、該眼鏡７の左右のレンズ部の底部７ｃ、７ｄが、ブリム部３の上面に設けられた眼鏡落下防止部５の上に接触するように載置される。
このように本発明の帽子１は、眼鏡７の左右２つの蔓部７ａ、７ｂを帽子の左右の側面で頭部を挟むように掛けるとともに、単に帽子のブリム部３の上面に設けた眼鏡落下防止部５上に眼鏡７を載置するだけで、眼鏡の左右のレンズ部の底部７ｃ、７ｄがブリム部３の上面を滑るのを防ぐことができる構成となっていて、特別な作業をすることなく、容易に帽子から眼鏡の落下を防止することができるものである。
さらに、帽子１を着用したときに、前方から流れてくる空気が、前記ブリム部３に設けた通気孔４を通り上方に抜けていくので通気性を確保、向上することができる構成となっている。
【実施例２】
【００１３】
図４は本発明の帽子の第２実施例の斜視図（ａ）及びブリム部３の断面説明図（ｂ）である。
本実施例において、本発明にかかる帽子１のブリム部３は、芯部材３ａと前記芯部材３ａの上面に配置される表地３ｂと、前記芯部材３ａの下面に配置される裏地３ｃとから構成され、前記芯部材３ａに通気孔４が設けられる。
そして、前記芯部材３の上面に配置される表地３ｂと下面に配置される裏地３ｃは任意の素材の布地で被覆され、これにより形成されたブリム部３上面には、眼鏡落下防止部５が配設される。
【実施例３】
【００１４】
図５は本発明の帽子の第３実施例の斜視図（ａ）及びブリム部３の断面説明図（ｂ）である。
本実施例において、本発明にかかる帽子１のブリム部３は、芯部材３ａと前記芯部材３ａの上面に配置される表地３ｂと、前記芯部材３ａの下面に配置される裏地３ｃとから構成され、前記芯部材３ａに通気孔４が設けられ、前記芯部材３の上面に配置される表地３ｂと下面に配置される裏地３ｃはその両方あるいは一方が通気性の高い素材３ｂ’、３ｃ’で被覆される。前記通気性の高い素材とは例えばメッシュ状の繊維や樹脂が挙げられ、綿布等と比して通気性が高いものが選択できる。そして、上記構成からなるブリム部３上面には、眼鏡落下防止部５が配設される。
これにより、眼鏡の落下を防止するとともに、ブリム部３に形成された通気孔４の空気の流れは非常にスムーズとなりさらなる通気性の向上を図れる。
【実施例４】
【００１５】
図６は本発明の帽子の第４実施例の斜視図（ａ）及びブリム部３の断面説明図（ｂ）である。
本実施例において、本発明にかかる帽子１のブリム部３は、芯部材３ａと前記芯部材３ａの上面に配置される表地３ｂと、前記芯部材３ａの下面に配置される裏地３ｃとから構成され、前記芯部材３ａに通気孔４が設けられ、前記芯部材３の上面に配置される表地３ｂと下面に配置される裏地３ｃはその両方あるいは一方が前記通気孔４に当接する箇所に前記通気孔４と略同型の孔４ｂ、４ｃが形成されている。そして、上位構成からなるブリム部３上面には、眼鏡落下防止部５が配設される。
これにより、眼鏡の落下を防止するとともに、ブリム部３に形成された通気孔４の空気が遮られることなく流れ、通気性の格段の向上を図れる。
【実施例５】
【００１６】
図７は本発明の帽子の第５実施例の斜視図（ａ）及びブリム部３の断面説明図（ｂ）である。
本実施例において、本発明にかかる帽子１のブリム部３は、芯部材３ａと前記芯部材３ａの上面に配置される表地３ｂと、前記芯部材３ａの下面に配置される裏地３ｃとから構成され、前記芯部材３ａに通気孔４が設けられ、前記芯部材３の上面に配置される表地３ｂと下面に配置される裏地３ｃにはその両方あるいは一方に前記通気孔４に当接する箇所に前記通気孔４と略同型の孔４ｂ、４ｃが形成され、さらに前記通気孔４を覆うように通気性の高い素材８が前記通気孔と略同型の孔４ｂ、４ｃに当接するように配置されている。そして、上記構成により形成されるブリム部３上面には、眼鏡落下防止部５が配設される。
これにより、眼鏡の落下を防止するとともに、ブリム部３に形成された通気孔４の空気の流れを非常にスムーズにでき、例えば通気性の高い素材８の色と、表地３ｂ、裏地３ｃの色を異なるものとすることで、通気孔４形状をデザインとして表すことができ、ファッション性の高い帽子を提供することができる。
【００１７】
なお、本発明にかかる帽子の製造方法として、例えば実施例５に係る帽子の場合、ブリム部３を芯部材３ａと、前記芯部材の上面に配置される表地３ｂと、下面に配置される裏地３ｃとで構成し、前記芯部材３ａに通気孔４を形成し、前記表地３ｂと裏地３ｃの両方又はいずれか一方に、前記通気孔４に当接する箇所に前記通気孔と略同型の孔４ｂ、４ｃを形成し、かつ前記形成された通気孔と同型の孔４ｂ、４ｃを塞ぐように、表地３ｂ及び／又は裏地３ｃの芯部材３ａと当接する面に通気性の高い素材８を貼着し、芯部材３ａを被覆して製造し、最後に眼鏡落下防止部５を配設する。
本実施例においては、芯部材３の表地３ｂと裏地３ｃの少なくとも一方に、レーザ加工で前記通気孔と略同型の孔４ｂ、４ｃを形成し、その孔４ｂ、４ｃを塞ぐように、該孔４ｂ、４ｃより少し大きい通気性の良好なメッシュ状のシート等通気性の高い素材８を、前記孔４ｂ、４ｃを形成した表地３ｂ及び／又は裏地３ｃに加熱圧着して取り付ける方法が挙げられる。
これにより、余計な縫製等の加工をすることなく、通気性が高く、眼鏡の落下を抑止できる帽子を提供できる。
なお、通気孔と略同型の孔４ｂ、４ｃの形成や、通気性の高い素材８の配設は、帽子のデザイン等を考慮して任意の手段を採用することもできる。
【符号の説明】
【００１８】
１：帽子
２：クラウン部
３：ブリム部
３ａ：芯部材
３ｂ：表地
３ｂ’：通気性の高い素材の表地
３ｃ：裏地
３ｃ’：通気性の高い素材の裏地
４：通気孔
４ｂ：通気孔と略同型の孔
４ｃ：通気孔と略同型の孔
５：眼鏡落下防止部
６：調整用バンド
７：眼鏡
７ａ、７ｂ：蔓部
７ｃ、７ｄ：レンズ部の底部
８：通気性の高い素材
【図１】
0006298396.tif 000002
【図２】
0006298396.tif 000003
【図３】
0006298396.tif 000004
【図４】
0006298396.tif 000005
【図５】
0006298396.tif 000006
【図６】
0006298396.tif 000007
【図７】
0006298396.tif 000008